(57)【要約】【課題】車両の速度の変化を考慮してカラオケ歌唱の評価を行うことが可能な車載用カラオケ装置を提供する。【解決手段】カラオケ歌唱による歌唱音声に基づいて当該カラオケ歌唱の評価を求める評価部、車両に搭載されている加速度センサからの出力値を取得する取得部、カラオケ歌唱を行う歌唱区間のうち、取得した出力値が閾値以上となる影響区間を特定する特定部、特定された影響区間の評価、及びそれ以外の他の歌唱区間の評価に基づいて、影響区間の評価の補正を行う補正部、を有する車載用カラオケ装置。【選択図】図７
2020034751.tif 000002
【特許請求の範囲】
【請求項１】
車両に搭載し、車内でカラオケ歌唱を行うための車載用カラオケ装置であって、
カラオケ歌唱による歌唱音声に基づいて当該カラオケ歌唱の評価を求める評価部と、
前記車両に搭載されている加速度センサからの出力値を取得する取得部と、
前記カラオケ歌唱を行う歌唱区間のうち、取得した前記出力値が閾値以上となる影響区間を特定する特定部と、
特定された前記影響区間の評価、及びそれ以外の他の歌唱区間の評価に基づいて、前記影響区間の評価の補正を行う補正部と、
を有する車載用カラオケ装置。
【請求項２】
補正された前記影響区間の評価、及び前記他の歌唱区間の評価に基づいて求められた、カラオケ歌唱全体の評価を表示部に表示する表示制御部を有することを特徴とする請求項１記載の車載用カラオケ装置。
【請求項３】
前記補正部は、前記影響区間の評価と、前記他の歌唱区間のうち、当該影響区間の直前及び直後の少なくとも一方における所定区間の評価との差分が所定値以上の場合に、当該影響区間の評価、及び当該所定区間の評価に基づいて、前記影響区間の評価の補正を行うことを特徴とする請求項１または２記載の車載用カラオケ装置。
【請求項４】
前記評価部は、前記歌唱区間に含まれる音符毎の合格判定に基づいて前記評価を求め、
前記補正部は、前記差分が所定値以上の場合に、前記影響区間に含まれる音符のうち合格判定された音符の数を、前記所定区間の評価に基づいて変更し、変更した音符の数と、前記影響区間に含まれる全ての音符の数とに基づいて、前記影響区間の評価の補正を行うことを特徴とする請求項３記載の車載用カラオケ装置。
【発明の詳細な説明】
【技術分野】
【０００１】
本発明は車載用カラオケ装置に関する。
【０００２】
従来から、観光バスなどの大型車両にカラオケ装置を搭載し、乗客にカラオケ歌唱を提供するサービスが行われていた。また、車両に搭載されるカラオケ装置（車載用カラオケ装置）で利用できる様々な技術が提案されている。たとえば、特許文献１には、走行地域にちなんだ楽曲をリコメンド可能な車載用カラオケ装置が開示されている。
【先行技術文献】
【特許文献】
【０００３】
【特許文献１】特開２０１０−１２８３０４号公報
【発明の概要】
【発明が解決しようとする課題】
【０００４】
ところで、車載用カラオケ装置は、宴会場や宿泊施設、或いはカラオケ店舗等で使用される一般的なカラオケ装置と同様、カラオケ歌唱の評価機能を備えている。
【０００５】
一方、車両内でカラオケ歌唱を行う場合、車両の急発進・急停車や、カーブ等の走行に伴う速度の変化により、カラオケ歌唱が妨げられる可能性がある。その場合、カラオケ歌唱の評価が低くなる。
【０００６】
本発明の目的は、車両の速度の変化を考慮してカラオケ歌唱の評価を行うことが可能な車載用カラオケ装置を提供することにある。
【課題を解決するための手段】
【０００７】
上記目的を達成するための主たる発明は、車両に搭載し、車内でカラオケ歌唱を行うための車載用カラオケ装置であって、カラオケ歌唱による歌唱音声に基づいて当該カラオケ歌唱の評価を求める評価部と、前記車両に搭載されている加速度センサからの出力値を取得する取得部と、前記カラオケ歌唱を行う歌唱区間のうち、取得した前記出力値が閾値以上となる影響区間を特定する特定部と、特定された前記影響区間の評価、及びそれ以外の他の歌唱区間の評価に基づいて、前記影響区間の評価の補正を行う補正部と、を有する車載用カラオケ装置である。
本発明の他の特徴については、後述する明細書及び図面の記載により明らかにする。
【発明の効果】
【０００８】
本発明によれば、車両の速度の変化を考慮してカラオケ歌唱の評価を行うことができる。
【図面の簡単な説明】
【０００９】
【図１】実施形態に係る車載用カラオケ装置を搭載した車両を示す図である。
【図２】実施形態に係るカラオケ装置を示す図である。
【図３】楽曲Ｘの歌唱区間及び非歌唱区間を示す図である。
【図４】実施形態に係るカラオケ本体を示す図である。
【図５】楽曲Ｘの歌唱区間、非歌唱区間、及び影響区間を示す図である。
【図６】図５に示した歌唱区間等の一部を拡大した図である。
【図７】実施形態に係る車載用カラオケ装置の処理を示すフローチャートである。
【発明を実施するための形態】
【００１０】
＜実施形態＞
図１〜図７を参照して、本実施形態に係る車載用カラオケ装置について説明する。
【００１１】
＝＝車両＝＝
車両１は、観光バス等の自動車である。図１に示したように、車両１は加速度センサＳ、及びカラオケ装置Ｋを搭載している。
【００１２】
＝＝加速度センサ＝＝
加速度センサＳは、車両１に作用する加速度を検出するセンサである。加速度センサＳは、たとえば、ある１軸方向の加速度を検出する静電容量式のセンサや、互いに直交する３つの軸方向毎の加速度を検出するアナログ式の３軸加速度センサ等、公知のセンサを利用することができる。
【００１３】
アナログ式の３軸加速度センサは、３つの検出軸のそれぞれに対応する３つの出力端子を備えており、３つの出力端子のそれぞれから、その出力端子に対応する軸方向に作用する加速度の値を示す電圧信号をカラオケ装置Ｋに出力する。
【００１４】
カラオケ装置Ｋは、楽曲のカラオケ演奏の開始に伴って開始信号を加速度センサＳに送信する。加速度センサＳは、開始信号に基づいて加速度の検出を開始する。一方、カラオケ装置Ｋは、楽曲のカラオケ演奏の終了に伴って終了信号を加速度センサＳに送信する。加速度センサＳは、終了信号に基づいて加速度の検出を終了する。なお、本実施形態における加速度の値（出力値）は絶対値である。
【００１５】
＝＝カラオケ装置＝＝
カラオケ装置Ｋは、車両１に乗車した利用者が、車内でカラオケ歌唱を行うための装置である。図２に示すように、カラオケ装置Ｋは、カラオケ本体１０、スピーカ２０、表示装置３０、マイク４０、及びリモコン装置５０を備える。本実施形態に係るカラオケ装置Ｋは「車載用カラオケ装置」に相当する。
【００１６】
スピーカ２０はカラオケ本体１０からの音声信号に基づいて放音するための構成である。表示装置３０はカラオケ本体１０からの映像信号に基づいて映像や画像を画面に表示するための構成である。また、本実施形態に係る表示装置３０は、カラオケ歌唱の評価（後述）を表示する「表示部」として機能する。マイク４０は利用者の歌唱音声（マイク４０への入力音声）をアナログの音声信号（歌唱音声信号）に変換してカラオケ本体１０に入力するための構成である。リモコン装置５０は、カラオケ本体１０に対する各種操作をおこなうための装置である。利用者はリモコン装置５０を用いてカラオケ歌唱を希望する楽曲の検索や選曲（予約）等を行うことができる。リモコン装置５０の表示画面には各種操作の指示入力を行うためのアイコン等が表示される。
【００１７】
カラオケ本体１０は、選曲された楽曲のカラオケ演奏制御、歌詞や背景映像等の表示制御、マイク４０を通じて入力された音声信号の処理といった、カラオケ歌唱に関する各種の制御を行う。図２に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１８】
制御部１１は、ＣＰＵおよびメモリ（図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００１９】
通信部１２は、ルーター（図示なし）を介してカラオケ本体１０を通信回線に接続するためのインターフェースを提供する。
【００２０】
記憶部１３は、各種のデータを記憶する大容量の記憶装置であり、たとえばハードディスクドライブなどである。記憶部１３は、たとえば、カラオケ装置Ｋにおいて使用する複数の楽曲データを記憶する。楽曲データは、個々の楽曲を特定するための楽曲ＩＤ（識別情報）が付与されている。楽曲データは、カラオケ演奏を行うための伴奏データ、カラオケ歌唱の評価に使用するリファレンスデータ、歌詞テロップデータ、背景画像データ、及び楽曲の属性情報（楽曲名、歌手名、作詞・作曲者名、ジャンル等の楽曲に関する情報）を含む。
【００２１】
また、楽曲データは、歌唱区間と非歌唱区間に関する情報を有している。歌唱区間は、歌詞が付与されている区間（カラオケ歌唱を行う区間。Ａメロ、Ｂメロ、サビ等）である。非歌唱区間は、歌詞が付与されていない区間（前奏、間奏、後奏）である。歌唱区間及び非歌唱区間は、カラオケ演奏開始からの経過時間で特定される。図３は、楽曲Ｘの歌唱区間と非歌唱区間を示した図である。図３によれば、楽曲Ｘは３つの歌唱区間（歌唱区間Ｓ１〜Ｓ３）と、４つの非歌唱区間（非歌唱区間Ｎ１〜Ｎ４）により構成されている。
【００２２】
音響処理部１４は、制御部１１の制御に基づき、楽曲に対するカラオケ演奏の制御およびマイク４０を通じて入力された歌唱音声信号の処理を行う。表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる。操作部１６は、パネルスイッチおよびリモコン受信回路などからなり、利用者によるカラオケ装置Ｋのパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２３】
車両１に乗車した利用者は、リモコン装置５０を介してカラオケ楽曲の選曲を行う。カラオケ本体１０は、選曲された楽曲のカラオケ演奏を行いつつ、表示装置３０に歌詞や背景映像を表示させる。利用者は、表示された歌詞を参照しながら、マイク４０を介してカラオケ歌唱を行うことができる。
【００２４】
なお、車両１に予め設置されている車両用スピーカを、スピーカ２０の代わりに利用してもよい。また、車両に搭載されているカーナビゲーション装置を、表示装置３０やリモコン装置５０の代わりとして機能させてもよい。
【００２５】
＝＝カラオケ本体＝＝
図４に示したように、本実施形態におけるカラオケ本体１０は、評価部１００、取得部２００、特定部３００、補正部４００、及び表示制御部５００を有する。評価部１００、取得部２００、特定部３００、補正部４００、及び表示制御部５００は、制御部１１のＣＰＵがメモリに記憶されるプログラムを実行することにより実現される。
【００２６】
［評価部］
評価部１００は、カラオケ歌唱による歌唱音声に基づいて当該カラオケ歌唱の評価を求める。
【００２７】
カラオケ歌唱の評価は、たとえば、採点値として求めることができる。カラオケ歌唱に基づく採点値の取得は、公知の手法を用いることができる。たとえば、評価部１００は、マイク４０から入力された歌唱音声信号から、ピッチ（音高）データを抽出し、楽曲のリファレンスデータと比較することにより、採点値を得る。採点値は、具体的な数値（０〜１００点）であってもよいし、いくつかの区分に分類されたランク（たとえばＡ〜Ｊの１０段階評価）であってもよい。
【００２８】
また、本実施形態において、評価部１００は、歌唱区間に含まれる音符毎の合格判定に基づいて評価を求める。
【００２９】
具体的に、評価部１００は、歌唱区間に含まれる音符毎に、歌唱音声信号から抽出した音高データが示すピッチと、楽曲のリファレンスデータが示すピッチとを比較し、その差分であるセント値を算出する。評価部１００は、算出したセント値が予め設定されている閾値以上の場合、当該音符を合格と判定する。逆に、評価部１００は、算出したセント値が閾値未満の場合、当該音符を不合格と判定する。
【００３０】
そして、評価部１００は、歌唱区間における合格判定された音符の数を歌唱区間における全音符数で除算した値を求め、その値に１００を乗算した値を評価（採点値）として求める。
【００３１】
カラオケ歌唱の評価は、各歌唱区間のカラオケ演奏が終了する都度行ってもよいし、全ての歌唱区間のカラオケ演奏が終了した後に行ってもよい。
【００３２】
なお、評価は、音程の正確性に加え、音量に基づく抑揚、ビブラート、こぶしなどの歌唱技法等の歌唱表現力を含んでいてもよい。また、評価部１００は、これらの評価を加味して採点値を求めてもよい。
【００３３】
［取得部］
取得部２００は、車両１に搭載されている加速度センサＳからの出力値を取得する。
【００３４】
上述の通り、加速度センサＳは、カラオケ演奏の開始に伴って加速度を検出し、カラオケ装置Ｋに出力する。取得部２００は、加速度センサＳから出力される出力値を順次取得する。
【００３５】
取得部２００は、取得した加速度の値（出力値）を特定部３００に出力する。出力値を出力するタイミングは様々である。たとえば、取得部２００は、取得した出力値を順次、制御部１１のメモリに一時的に保存する。そして、カラオケ演奏の終了後、取得部２００は、時系列に記憶されている出力値をメモリから読み出し、特定部３００に出力する。或いは、取得部２００は、出力値を取得する都度、特定部３００に出力してもよい。
【００３６】
［特定部］
特定部３００は、カラオケ歌唱を行う歌唱区間のうち、取得した出力値が閾値以上となる影響区間を特定する。
【００３７】
車両１の急な速度の変化は、カラオケ歌唱を行っている利用者の姿勢等に影響を及ぼし、利用者のカラオケ歌唱を妨げる。その結果、カラオケ歌唱の評価にも悪影響が生じる可能性がある。ここで、単位時間当たりの車両１の速度の変化が大きい場合、加速度も大きくなる。
【００３８】
そこで、特定部３００は、加速度の出力値が閾値以上となる区間を影響区間として特定する。影響区間は、歌唱区間のうち、カラオケ歌唱の評価に悪影響が生じる可能性が高い区間である。影響区間は、カラオケ演奏開始からの時間で特定される。閾値は予め所定の値が設定されている。
【００３９】
たとえば、特定部３００は、楽曲Ｘのカラオケ演奏の開始に伴って、加速度センサＳから出力される出力値を閾値と比較する。特定部３００は、出力値が閾値以上となった場合、その時間Ｔ１を記録する。特定部３００は、引き続き、加速度センサＳから出力される出力値を閾値と比較し、出力値が閾値未満となった場合、その時間Ｔ２を記録する。特定部３００は、時間Ｔ１〜時間Ｔ２の期間（加速度の出力値が閾値以上の期間）を影響区間Ｅ１として特定する（図５参照）。なお、図５に示したように、一の楽曲中で複数の影響区間（影響区間Ｅ１〜Ｅ８）が特定されることもありうる。
【００４０】
加速度センサＳがカラオケ演奏の開始から終了まで加速度の検出を行う場合、非歌唱区間においても加速度が検出される。一方、非歌唱区間においては速度の変化がカラオケ歌唱に与える影響はないと考えられる。そこで、特定部３００は、非歌唱区間においては、取得した出力値と閾値との比較を行わない。
【００４１】
また、加速度センサＳが上述したアナログ式の３軸加速度センサの場合、ある一のタイミングにおける加速度センサＳからの出力値が、複数得られる可能性がある。この場合、特定部３００は、それぞれの出力値に応じて影響区間を特定することができる。或いは、特定部３００は、一のタイミングで得られた出力値のうち最大値を基準として影響区間を特定してもよい。
【００４２】
［補正部］
補正部４００は、特定された影響区間の評価、及びそれ以外の他の歌唱区間の評価に基づいて、影響区間の評価の補正を行う。他の歌唱区間は、ある楽曲の歌唱区間のうち、影響区間以外の歌唱区間である。
【００４３】
影響区間及び他の歌唱区間の評価は、影響区間が特定された後、評価部１００により行われる。また、評価の補正は様々な方法が可能である。たとえば、補正部４００は、影響区間の評価と、他の歌唱区間のうち、当該影響区間の直前及び直後の少なくとも一方における所定区間の評価との差分が所定値以上の場合に、当該影響区間の評価、及び当該所定区間の評価に基づいて、影響区間の評価の補正を行う。
【００４４】
所定区間は、他の歌唱区間のうち、影響区間の直前または直後における一定期間の歌唱区間である。所定区間の長さは、予め任意の値が設定されていてもよいし、影響区間の長さに応じて都度、設定されてもよい。所定区間は、たとえば影響区間と同じ長さ、或いは影響区間の半分の長さとして設定できる。
【００４５】
図６は、図５に示した影響区間Ｅ１の近傍を拡大した図である。この例においては、影響区間Ｅ１の直前に所定区間Ｐ１−１が設定され、及び影響区間Ｅ１の直後に所定区間Ｐ１−２が設定されている。所定期間Ｐ１−１及び所定期間Ｐ１−２の長さは、影響区間Ｅ１の長さと等しい。
【００４６】
図６の例において、補正部４００は、影響区間Ｅ１の評価と、所定区間Ｐ１−１及び所定区間Ｐ１−２の評価との差分を求め、その差分が所定値以上であるかどうかを判断する。所定値は、影響区間の評価を補正するかどうかを判断するための値であり、予め設定されている。影響区間の評価と所定区間の評価との差分が大きい場合、カラオケ歌唱を行う利用者が、車両１の速度の変化の影響を受けている可能性が高い。そこで、差分が所定値以上の場合、補正部４００は影響区間の評価の補正を行う。
【００４７】
たとえば、所定値が「２．０点」であり、影響区間Ｅ１の評価が「８０点」であり、所定区間Ｐ１−１及び所定区間Ｐ１−２の評価の平均値が「９０点」であったとする。この場合、補正部４００は、所定区間Ｐ１−１及び所定区間Ｐ１−２の評価の平均値「９０点」と影響区間Ｅ１の評価「８０点」との差分「１０点」と所定値「２．０点」を比較し、差分が所定値以上であると判断する。
【００４８】
補正部４００は、一例として、影響区間Ｅ１の評価「８０点」に対し、差分「１０点」を加算することで影響区間Ｅ１の評価を「９０点」とする補正を行う。別の例として、補正部４００は、影響区間Ｅ１の評価「８０点」と所定区間Ｐ１−１及び所定区間Ｐ１−２の評価の平均値「９０点」との平均値「８５点」を算出し、当該平均値を影響区間Ｅ１の評価とする補正を行うことも可能である。
【００４９】
更に別の例として、補正部４００は、差分が所定値以上の場合に、影響区間に含まれる音符のうち合格判定された音符の数を、所定区間の評価に基づいて変更し、変更した音符の数と、影響区間に含まれる全ての音符の数とに基づいて、影響区間の評価の補正を行うことも可能である。
【００５０】
たとえば、図６の例において、影響区間Ｅ１に含まれる音符の数が「１１」、合格判定された音符の数が「８」であったとする。一方、所定区間Ｐ１−１及び所定区間Ｐ１−２に含まれる音符の数が「１７」、合格判定された音符の数が「１３」であったとする。この場合、評価部１００は、影響区間Ｅ１の評価を「７２．７３点」（８÷１１×１００）と求め、所定区間Ｐ１−１及びＰ１−２の評価を「７６．４７点」（１３÷１７×１００）と求める。
【００５１】
補正部４００は、所定区間Ｐ１−１及び所定区間Ｐ１−２の評価「７６．４７点」と影響区間Ｅ１の評価「７２．７３点」との差分「３．７４点」と所定値「２．０点」を比較し、差分が所定値以上であると判断する。
【００５２】
この場合、補正部４００は、影響区間Ｅ１に含まれる全ての音符の数「１１」と所定区間Ｐ１−１及び所定区間Ｐ１−２の評価「７６．４７点」とを乗算し、且つ乗算した値を１０で除算した値「８．４１」を影響区間において合格判定された音符の数とする。
【００５３】
補正部４００は、合格判定された音符の数を「８．４１」とし、影響区間Ｅ１の評価を「７６．４５点」（８．４１÷１１×１００）と補正する。
【００５４】
また、補正部４００は、補正された影響区間の評価、及び他の歌唱区間の評価に基づいて、カラオケ歌唱全体の評価を求めてもよい。
【００５５】
たとえば、補正部４００は、補正された影響区間の採点値と、他の歌唱区間の採点値の平均値をカラオケ歌唱全体の採点値として求める。或いは、上記例のように影響区間において合格判定された音符の数を補正している場合、補正部４００は、影響区間において合格判定された補正後の音符の数と、歌唱区間において合格判定された音符の数との和を、楽曲における全ての音符の数で除算し、且つ除算した値に１００を乗算した値をカラオケ歌唱全体の評価として求める。補正部４００は、求めたカラオケ歌唱全体の評価を表示制御部５００に出力する。
【００５６】
なお、図６に示したように２つの所定区間がある場合に、補正部４００は、いずれか一方の所定区間の評価のみを用いて、影響区間との差分を求めてもよい。また、影響区間が非歌唱区間と隣接する場合等、そもそも影響区間の直前または直後のいずれか一方にしか所定区間が存在しない場合もありうる。このような場合、補正部４００は、いずれか一方の所定区間（存在する所定区間）の評価のみを用いて影響区間との差分を求める。
【００５７】
また、一の楽曲をカラオケ歌唱する間に、図５に示したように複数の影響区間が存在する可能性もある。この場合、補正部４００は、影響区間毎に補正を行ってもよい。
【００５８】
［表示制御部］
表示制御部５００は、補正された影響区間の評価、及び他の歌唱区間の評価に基づいて求められた、カラオケ歌唱全体の評価を表示部（表示装置３０）に表示する。
【００５９】
表示制御部５００は、補正部４００が出力したカラオケ歌唱全体の評価を表示装置３０に表示させることができる。また、表示制御部５００は、カラオケ歌唱全体の評価だけでなく、補正された影響区間の評価、及び他の歌唱区間の評価をそれぞれ表示させることも可能である。
【００６０】
＝＝車載用カラオケ装置における処理について＝＝
次に、図７を参照して本実施形態に係るカラオケ装置Ｋにおける処理の具体例について述べる。図７は、カラオケ装置Ｋにおける処理例を示すフローチャートである。この例では、カラオケ装置Ｋは車両１に搭載されている。そして、車両１に乗車した利用者が、カラオケ装置Ｋを利用して、走行中の車内でカラオケ歌唱を行ったとする。また、この例では、カラオケ演奏の開始から終了まで、加速度センサＳにより加速度の検出が行われているものとする。
【００６１】
評価部１００は、カラオケ歌唱による歌唱音声に基づいて当該カラオケ歌唱の評価を行う（カラオケ歌唱の評価。ステップ１０）。
【００６２】
取得部２００は、加速度センサＳからの出力値を取得する（加速度の出力値を取得。ステップ１１）。
【００６３】
取得部２００は、ステップ１１で取得した出力値を記憶部１３に一時的に記憶させる（出力値の記憶。ステップ１２）。
【００６４】
カラオケ歌唱が終了した後（ステップ１３でＹの場合）、特定部３００は、カラオケ歌唱を行う歌唱区間のうち、ステップ１１で取得した出力値が閾値以上となる影響区間を特定する（影響区間の特定。ステップ１４）。
【００６５】
補正部４００は、ステップ１４で特定された影響区間の評価、及びそれ以外の他の歌唱区間の評価に基づいて、影響区間の評価を補正する（影響区間の評価を補正。ステップ１５）。
【００６６】
補正部４００は、ステップ１５で補正された影響区間の評価、及び他の歌唱区間の評価に基づいて、カラオケ歌唱全体の評価を求める（カラオケ歌唱全体の評価。ステップ１６）。
【００６７】
表示制御部５００は、ステップ１６で求めたカラオケ歌唱全体の評価を表示装置３０に表示する（評価の表示。ステップ１７）。
【００６８】
以上で述べた通り、本実施形態に係るカラオケ装置Ｋは、車両１に搭載し、車内でカラオケ歌唱を行うための車載用カラオケ装置である。カラオケ装置Ｋは、カラオケ歌唱による歌唱音声に基づいて当該カラオケ歌唱の評価を求める評価部１００と、車両１に搭載されている加速度センサＳからの出力値を取得する取得部２００と、カラオケ歌唱を行う歌唱区間のうち、取得した出力値が閾値以上となる影響区間を特定する特定部３００と、特定された影響区間の評価、及びそれ以外の他の歌唱区間の評価に基づいて、影響区間の評価の補正を行う補正部４００と、を有する。
【００６９】
このように、加速度の出力値が閾値以上となる影響区間の評価を補正することにより、車両１の急発進・急停車や、カーブ等の走行に伴う急な速度の変化により上手くカラオケ歌唱を行うことが出来ない歌唱区間があった場合でも、カラオケ歌唱の評価が極端に悪くなることは無い。すなわち、本実施形態に係るカラオケ装置Ｋによれば、車両１の速度の変化を考慮してカラオケ歌唱の評価を行うことができる。
【００７０】
また、カラオケ装置Ｋは、補正された影響区間の評価、及び他の歌唱区間の評価に基づいて求められた、カラオケ歌唱全体の評価を表示装置３０に表示する表示制御部５００を有する。この場合、利用者は、速度の変化による影響を考慮したカラオケ歌唱全体の評価を把握することができる。
【００７１】
また、補正部４００は、影響区間の評価と、他の歌唱区間のうち、当該影響区間の直前及び直後の少なくとも一方における所定区間の評価との差分が所定値以上の場合に、当該影響区間の評価、及び当該所定区間の評価に基づいて、影響区間の評価の補正を行う。更に、評価部１００は、歌唱区間に含まれる音符毎の合格判定に基づいて評価を求め、補正部４００は、差分が所定値以上の場合に、影響区間に含まれる音符のうち合格判定された音符の数を、所定区間の評価に基づいて変更し、変更した音符の数と、影響区間に含まれる全ての音符の数とに基づいて、影響区間の評価の補正を行うことができる。
【００７２】
このような構成によれば、カラオケ歌唱を行う利用者が速度の変化の影響を受けている可能性が高い場合にのみ、カラオケ歌唱の評価を補正することができる。
【００７３】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７４】
１  車両
１００  評価部
２００  取得部
３００  特定部
４００  補正部
５００  表示制御部
Ｋ  カラオケ装置
Ｓ  加速度センサ
【図１】
2020034751.tif 000003
【図２】
2020034751.tif 000004
【図３】
2020034751.tif 000005
【図４】
2020034751.tif 000006
【図５】
2020034751.tif 000007
【図６】
2020034751.tif 000008
【図７】
2020034751.tif 000009